(57)【要約】 【課題】  灰皿の下方に設けた搬送経路の中に吸殻を投入して、この吸殻を円滑に回収することができる、吸殻回収装置に用いる灰皿を提供する。【解決手段】  遊技機設置島の前側に横設した膳板１に灰皿２を設け、該灰皿２の下方に形成した搬送経路３の中に灰皿２から投入された吸殻を、コンベアによって膳板１の端部にまで搬送するための吸殻回収装置に用いる灰皿２であって、灰皿２の皿底面を階段状の段差２２を有するものとして、高位側底面２３に吸殻の搬送方向に伸びる長孔状の吸殻投入口４を設け、低位側底面２４には煙草の直径と同等ないしそれ以下の径の灰の落とし口２５を設けた。【選択図】    図６
2006314366.tif 000002
【特許請求の範囲】
【請求項１】
遊技機設置島の前側に横設した膳板に取付けられる灰皿と、該灰皿の下方に設けられる搬送経路と、該搬送経路内に落下した吸殻を搬送する吸殻搬送用のコンベアとからなる吸殻回収装置に用いる灰皿であって、
灰皿の皿底面を階段状の段差を有するものとして、高位側底面に吸殻の搬送方向に伸びる長孔状の吸殻投入口を設け、低位側底面には煙草の直径と同等ないしそれ以下の径の灰の落とし口を設けたことを特徴とする吸殻回収装置に用いる灰皿。
【発明の詳細な説明】
【技術分野】
【０００１】
本発明は、遊技機設置島において吸殻を自動的に回収するための吸殻回収装置に用いる灰皿に関する。
【背景技術】
【０００２】
パチンコ機などの遊技機には煙草の吸殻を投入するための灰皿が設置されていることが多いが、灰皿に吸殻が投入されたままであると紫煙などによってホール内の空気を汚染してしまう。そこで速やかに吸殻を回収するための吸殻回収装置が、特許文献１、２に開示されている。これらの装置は遊技機設置島に横設された膳板の下側に大きな空間を占めてコンベアなどの回収装置を配設しているために、遊技者の膝頭付近が狭くなってしまい、遊技者に窮屈な姿勢を強いるものである。そこで、このような問題を解決するために、出願人は膳板内に搬送経路を設けてこの経路にコンベアを張設した吸殻回収装置を特願２００４−１４１２０４として出願した。
【０００３】
しかしながら、上記出願に係る吸殻回収装置においては、搬送経路底面と、灰皿の皿底面との間隔が短いために、吸殻の長さがこの間隔より長くなることがある。このような場合には吸殻が灰皿の投入口に立ったままとなって搬送経路に完全に投入されないので、投入口とベルト式のコンベアとの間に吸殻が詰まったりして吸殻の回収が円滑に行われないことがあることが分かった。
【特許文献１】特開平９−３８３３０号公報  (図２)
【特許文献２】実用新案登録第３０９１８９３号公報  (図２)
【発明の開示】
【発明が解決しようとする課題】
【０００４】
本発明は、上記した従来の問題に鑑み、吸殻を搬送経路上に円滑に投入して回収することができる、吸殻回収装置に用いる灰皿を提供することを課題とする。
【課題を解決するための手段】
【０００５】
上記の課題を解決するためになされた本発明の吸殻回収装置に用いる灰皿は、遊技機設置島の前側に横設した膳板に取付けられる灰皿と、該灰皿の下方に設けられる搬送経路と、該搬送経路内に落下した吸殻を搬送する吸殻搬送用のコンベアとからなる吸殻回収装置に用いる灰皿であって、
灰皿の皿底面を階段状の段差を有するものとして、高位側底面に吸殻の搬送方向に伸びる長孔状の吸殻投入口を設け、低位側底面には煙草の直径と同等ないしそれ以下の径の灰の落とし口を設けたことを特徴とするものである。
【発明の効果】
【０００６】
本発明の吸殻回収装置に用いる灰皿は、灰皿の皿底面を階段状の段差を有するものとして、高位側底面に吸殻投入口を設けたので、皿底面を高くした分だけ長い吸殻を立てたままで投入することができる。また、吸殻投入口を、吸殻搬送方向に伸びる長孔状のものとしたので、長い吸殻をコンベアにて搬送方向に寝かしつつ膳板内に取り込むことができる。よって、長い吸殻の詰まりによる搬送トラブルの発生を回避することができる。また、低位側底面には煙草の直径と同等ないしそれ以下の径の灰の落とし口を設けたので、この落とし口から吸殻が入り込むのを防止することができる。
【発明を実施するための最良の形態】
【０００７】
<吸殻回収装置>
先ず、吸殻回収装置の全体構造について説明する。
図１、２は、吸殻回収装置の一例を示す概略構造図であって、１は遊技機設置島の前側に水平に横設されている膳板、２は遊技機毎に膳板１に設けられた灰皿である。膳板１の内部には箱形の搬送経路３が形成され、この搬送経路３は灰皿２の底面に設けられた吸殻投入口４と連通している。そして、搬送経路３内に吸殻回収装置５が配設されている。このように構成すれば薄い膳板１内に吸殻回収装置５を収めることができるが、後述するように搬送経路３は必ずしも膳板１内に設けることに限定されない。
【０００８】
吸殻回収装置５は、膳板１に対して垂直に立設された駆動軸６と、従動軸７と、駆動軸６と従動軸７に掛け渡されたコンベア８と、駆動軸６に接続されたモータＭとを備える。コンベア８は、無端で歯付きのベルト本体９に複数枚の吸殻回収板１１が突設されたものである。吸殻回収板１１は、ベルト本体９の幅広面９ａにスプリング付蝶番１０により支持されていて、外部からの押圧力が作用しない状態においてはベルト本体９から水平方向に(図２では遊技者方向に)突出している。そして、吸殻回収板１１は搬送経路３の底面に対して垂直状に、その底面を摺るように配設されている。
【０００９】
また、コンベア８は、搬送経路３内の後方（遊技機設置島側）に寄せて遊技機設置島の長手方向に沿って張設されている。当該コンベア８は、図２において半時計周りに回転されており、コンベア８が左から右に移動する往路においては、吸殻回収板１１はベルト本体１１から水平に突出した状態で移動するので、吸殻を一方の端部１４にまで搬送して、回収タンク１７に収容することができる。吸殻回収後の復路においては、膳板１の後方側壁１３の押圧により吸殻回収板１１がベルト本体９に傾倒されるので、狭い幅の隙間でもってコンベア８を他方の端部１５にまで戻すことができる。他方の端部１５には、円形状空間１６が設けられているので、周回してきた吸殻回収板１１をスプリングの弾発により再び起立させることができる。このようにして、コンベア８は灰皿２から投入された吸殻を自動的に回収することができる。
【００１０】
図３には、上記したものとは別の形態の吸殻回収装置５を示す。当該吸殻回収装置５において、膳板１は上側板５１と下側板５２とからなり、下側板５２の直近下方にカバー板５４が配設されていて、上側板５１とカバー板５４との間に搬送経路３が形成してある。下側板５２の両端には駆動軸６と従動軸７とが水平状に設けられ、周回するコンベア８のうち上側のベルト本体９即ち往路側のベルト本体９が下側板５２上を摺動するように、駆動軸６と従動軸７との間に張設されている。また、下側のベルト本体９即ち復路側のベルト本体９は、ガイドローラ５３に支持されてカバー板５４上を移動する。そして、上側板５１の上面１９には灰皿２が取付けられているので、その吸殻投入口４から搬送経路３内に吸殻を投入することによってコンベア８は吸殻を回収タンク１７にまで回収することができる。
このように、コンベア８の全体を膳板１内に収容せずとも、搬送経路３の上下間隔をできるだけ薄く設けることによって、遊技者の足元に余裕を持たせることができる。
【００１１】
<灰皿>  
以下に、本発明に係る灰皿２を、図４〜６により説明する。
当該灰皿２は、長い吸殻でも容易に搬送経路３内に投入できるように、皿底面２１に階段状の段差２２を設けて、遊技者側を高位側底面２３として高くし、遊技機側を低位側底面２４として低く形成し、この灰皿２を膳板上面１９に取付けた。そして、高位側底面２３には、吸殻の搬送方向に伸長する長孔状の吸殻投入口４を設け、低位側底面２４には、煙草の直径と同等ないしはそれ以下の径とした灰の落とし口２５を設けた。なお、膳板上面１９には灰皿２よりやや小径の開口部２０が設けてあるが、低位側底面２４の高さが開口部２０より低い位置では吸殻搬送に支障を来たすので、低位側底面２４を開口部２０と同じもしくはそれより高い位置となるように膳板上面１９に設ける必要がある。
【００１２】
以上のように皿底面２１に低位側底面２４より高い高位側底面２３を設けたので、高くした分だけ吸殻を立てたままで吸殻投入口４から搬送経路３に投入することができる。また、吸殻投入口４を吸殻搬送方向に伸びる長孔状のものとしたので、吸殻投入口４から突出するような長い吸殻であっても、吸殻回収板１１にてその下方を払うことによって吸殻を倒して搬送経路３の内部に取り込むことができる。
【００１３】
さらに、遊技者側を高位側底面２３とし、遊技機側を低位側底面２４に形成したので、喫煙中の煙草を置いたときにその煙草を遊技機方向に低く傾斜させることができて、煙草の座りが安定する。さらに、低位側底面２４には、灰の落とし口２５を設け、この落とし口２５を煙草の直径と同等ないしはそれ以下の径としたので、この落とし口２５から吸殻が投入されることなく吸殻先端の灰のみを落とすことができる。
【００１４】
上記吸殻回収装置はパチンコ機のみならずスロットマシンなどのメダルを用いる遊技機からなる遊技機設置島にも配設することができるが、メダルを用いる遊技機においては前記長孔状の吸殻投入口４からメダルが搬送経路３内に入り込む可能性がある。メダルは薄いので、搬送経路３の底面と吸殻回収板１１との間に隙間に入り込んで搬送トラブルを発生させるおそれがある。従って、このようなおそれを回避するためには、吸殻投入口４の長さを、メダルの直径より短くしておくのが望ましい。これによって、メダルが搬送経路３内に入り込むのを防止することができる。なお、メダルだけでなく、遊技球を借りたりパチンコ機のハンドルを固定する際に使用する硬貨が、吸殻投入口４から搬送経路３内に入り込む可能性もあるので、吸殻投入口４の長さを最小径硬貨である一円玉の直径より短くしておくこともできる。
【図面の簡単な説明】
【００１５】
【図１】吸殻回収装置の一例について概略構造を示す正面図である。
【図２】図１の吸殻回収装置の平面図である。
【図３】吸殻回収装置の他の例について概略構造を示す正面図である。
【図４】灰皿の平面図である。
【図５】図４のＡ−Ａ線断面図である。
【図６】図４のＢ−Ｂ線断面図である。
【符号の説明】
【００１６】
１  膳板、２  灰皿、３  搬送経路、４  吸殻投入口、５  吸殻回収装置、６  駆動軸、７  従動軸、８  コンベア、９  ベルト本体、１０  スプリング付蝶番、１１  吸殻回収板、１２  前方側壁、１３  後方側壁、１４  一方の端部、１５  他方の端部、１６  円形状空間、１７  回収タンク、１９  膳板上面、２０  開口部、２１  皿底面、２２  段差、２３  高位側底面、２４  低位側底面、２５  灰の落とし口、３２  支持ローラ、５１  上側板、５２  下側板、５３  ガイドローラ、５４  カバー板
【図１】
2006314366.tif 000003
【図２】
2006314366.tif 000004
【図３】
2006314366.tif 000005
【図４】
2006314366.tif 000006
【図５】
2006314366.tif 000007
【図６】
2006314366.tif 000008